(57)【特許請求の範囲】
【請求項１】
パネルを列設して面一に構築した壁体の開口部を開閉する開き扉の開閉装置において、壁体又は開き扉のいずれか一方の部材に外側から鍵軸を通す軸穴を設け、その一方の部材の内側にロック手段を設け、他方の部材の内側に該ロック手段の受けを固定し、
前記ロック手段は、前記鍵軸を抜き差しする鍵穴を有し、該鍵穴を前記軸穴に合わせて設置する枢着具と、該枢着具に回動自在に枢着し、前記鍵軸の先端部を前記鍵穴の鍵抜差し位置に差し込んで正逆の施解錠方向に回動すると、該鍵軸と一体に回動する錠杆を備え、
前記受けは、該錠杆を係脱自在に係止する係止部と、開き扉の開時に該係止部から外れる解錠方向に前記錠杆を回動すると、該錠杆が当たる回動軌道上にカム面を有し、該カム面が前記錠杆に当たると開き扉を外側に押し開く方向に傾斜してなることを特徴とする、開き扉の開閉装置。
【請求項２】
前記受けは、前記係止部を凹溝で形成し、該係止部を挟んだ前記カム面の向かい側に該カム面に沿って立ち上がるストッパ部を設けてなることを特徴とする、請求項１に記載の開き扉の開閉装置。
【請求項３】
前記受けは、前記係止部を係止穴で形成し、該係止部を挟んだ前記カム面の向かい側に該カム面に沿ってストッパ部を形成してなることを特徴とする、請求項１に記載の開き扉の開閉装置。
【請求項４】
前記受けは、前記係止部を係止穴で形成する一方、前記錠杆を解錠方向に回動すると、該錠杆が当たる回動軌道上の一部を切り欠いて前記カム面を形成し、
前記ロック手段は、
前記枢着具を、前記壁体又は前記開き扉のいずれか一方の部材の内側に前記軸穴に中心を合わせて固定する外筒と、該外筒に回転自在に嵌着する内筒とで形成し、該内筒を前記錠杆の軸受穴に嵌合して該錠杆を前記内筒に一体に回動可能に枢着し、該内筒の外周には、周方向に回動調整リブを凸設すると共に前記鍵穴に向けてピン挿通穴を穿設し、該ピン挿通穴に抜け止めピンを出没自在に内設する一方、前記外筒の内周には、前記内筒側のピン挿通穴と対応する円周上に逃げ凹部を設け、
前記錠杆は、前記軸受穴の穴縁に前記回動調整リブより広角な角度範囲にわたり周方向に回動調整溝を凹設し、該回動調整溝に空転領域を介して前記回動調整リブを係合させて前記内筒を前記空転領域の角度範囲だけ空回り可能に前記軸受穴に嵌着し、
前記鍵軸は、軸部の先端に平面を設けた回り止め形状に形成し、その平面に前記抜け止めピンの先端が係合可能な位置決め凹部を設け、前記錠杆を、それが前記受けの係止部に係止する施錠位置又は該係止部から外れる解錠位置に回動してから、前記錠杆に対し前記空転領域の角度範囲を逆向きに空回りさせると、前記位置決め凹部が前記抜け止めピンの先端と対向し、前記鍵穴から引き抜き可能な鍵抜差し位置になることを特徴とする、請求項１に記載の開き扉の開閉装置。
【発明の詳細な説明】
【技術分野】
【０００１】
本発明は、パネルを列設して面一に構築した壁体の開口部を開閉する開き扉を施解錠するのに好適な開き扉の開閉装置に関する。
【背景技術】
【０００２】
最近のビル建築物では、金属製パネルを列設して出っ張りなく一面フラットな室内壁を構築するため、その壁の開口部を開閉する開き扉、例えば設備の点検口を開閉する開き扉の設置箇所も、施解錠操作のドアハンドルのような突起物が外側に出っ張らない一見して壁のように見える外観であることが要請されている。そこで、従来の開き扉の開閉装置の中には、ケースハンドルを用いて扉の表の外側からドアハンドルが大きく突出しないような構造にしたものや、配電盤の収納箱の扉のように扉を開ける使用時にドアハンドルを取り付け、その不使用時にはドアハンドルを取り外すようにした構造のものがある（特許文献１参照）。
【０００３】
しかし、従来、ケースハンドルを用いた例では、扉面からケースハンドル自体の存在が目立ってしまうし、ドアハンドルが着脱式のものでは、扉を開ける際にドアハンドルを引き抜くと、それが抜け落ちてしまう等の問題があった。
【０００４】
そこで、出願人は、閉状態において開き扉の外側に施解錠操作用ハンドルのような突出物のない美的外観を得られる一方、開き扉を外側から容易に施解錠できる開閉装置を提案している。この従来の開き扉開閉装置は、図２９に示すように、パネルｗ・ｗ´間の目地部１に外側へ臨む鍵操作用の小穴１ａを設け、目地部１の内側に装置本体２を設置し、装置本体２は、鍵穴３ａを鍵操作用小穴１ａに合わせて設けられるシリンダ錠３と、施解錠時は鍵操作用小穴１ａを通して鍵穴３ａに回転自在に抜き差しする鍵棒４と、鍵棒４を差し込んでシリンダ錠３の内部で正逆方向に回転すると、その回転に連動して開き扉５をロックするロック位置又はロック解除位置に回動するロックレバー６を備え、鍵棒４を、鍵操作用小穴１ａを介して鍵穴３ａに差し込み錠内部で正逆方向に回動すれば、開き扉５を外側から容易に施解錠できる構成になっている。また、開き扉５の外側には、施解錠操作用にハンドル等の突起物が設けないので、閉状態において、一見すると壁のように見える開き扉を設置した美的外観が得られるようになっている。
【０００５】
しかも、装置本体２は、ロックレバー６をレバー係止部５ａから外して開き扉５を解錠すると、開き扉５を開放方向へ付勢して押し開く付勢手段７を備え、鍵棒４を鍵穴３ａに差し込み錠内部で回転し、ロックレバー６をロック解除位置に回動してレバー係止部５ａから外すと、同時に開き扉５が付勢手段７により開放方向へ押し開かれ、ハンドル等を使用しなくても開き扉を開けられるようになっている（特許文献２参照）。
【先行技術文献】
【特許文献】
【０００６】
【特許文献１】特開平９−１００６５７号公報
【特許文献２】特開２００７−１６５５０号公報
【発明の概要】
【発明が解決しようとする課題】
【０００７】
ところが、従来、上述のような開き扉の開閉装置は、タンブラーを備えた比較的複雑で高価なシリンダ錠を使って施解錠する構成であるため、コストが高くなるという課題があった。しかも、装置本体２には、解錠時に開き扉を押し開くために付勢手段７を別途に備え、それだけ部品点数が多く機構が複雑になるという課題があった。
【課題を解決するための手段】
【０００８】
そこで、請求項１に記載の発明は、たとえば以下に示す図示実施の形態のとおり、パネルｗ１・ｗ２・ｗ３…を列設して面一に構築した壁体Ｗの開口部Ｓを開閉する開き扉の開閉装置Ｒにおいて、壁体Ｗ又は開き扉Ｄのいずれか一方の部材に外側から鍵軸Ｃを通す軸穴１４を設け、その一方の部材の内側にロック手段Ａを設け、他方の部材の内側に該ロック手段Ａの受けＢを固定し、前記ロック手段Ａは、前記鍵軸Ｃを抜き差しする鍵穴３３を有し、該鍵穴３３を前記軸穴１４に合わせて設置する枢着具１９と、該枢着具１９に回動自在に枢着し、前記鍵軸Ｃの先端部１５ｂを前記鍵穴３３の鍵抜差し位置に差し込んで正逆の施解錠方向に回動すると、該鍵軸Ｃと一体に回動する錠杆２０を備え、前記受けＢは、該錠杆２０を係脱自在に係止する係止部４５ｂと、開き扉Ｄの開時に該係止部４５ｂから外れる解錠方向に前記錠杆２０を回動すると、該錠杆２０が当たる回動軌道上にカム面５０を有し、該カム面５０が前記錠杆２０に当たると開き扉Ｄを外側に押し開く方向に傾斜してなることを特徴とする。
【０００９】
請求項２に記載の発明は、請求項１に記載の開き扉の開閉装置Ｒにおいて、たとえば以下に示す図示実施の形態のとおり、前記受けＢは、前記係止部４５ｂを凹溝で形成し、該係止部４５ｂを挟んだ前記カム面５０の向かい側に該カム面５０に沿って立ち上がるストッパ部４５ｄを設けてなることを特徴とする。
【００１０】
請求項３に記載の発明は、請求項１に記載の開き扉の開閉装置Ｒにおいて、たとえば以下に示す図示実施の形態のとおり、前記受けＢは、前記係止部４５ｂを係止穴で形成し、該係止部４５ｂを挟んだ前記カム面５０の向かい側に該カム面５０に沿ってストッパ部４５ｄを形成してなることを特徴とする。
【００１１】
請求項４に記載の発明は、請求項１に記載の開き扉の開閉装置Ｒ´において、たとえば以下に示す図示実施の形態のとおり、前記受けＢは、前記係止部４５ｂを係止穴で形成する一方、前記錠杆２０を解錠方向に回動すると、該錠杆２０が当たる回動軌道上の一部を切り欠いて前記カム面５５を形成し、前記ロック手段Ａは、前記枢着具１９を、前記壁体Ｗ又は前記開き扉Ｄのいずれか一方の部材の内側に前記軸穴１４に中心を合わせて固定する外筒２５と、該外筒２５に回転自在に嵌着する内筒３０とで形成し、該内筒３０を前記錠杆２０の軸受穴４０に嵌合して該錠杆２０を前記内筒３０に一体に回動可能に枢着し、該内筒３０の外周には、周方向に回動調整リブ２７ａを凸設すると共に前記鍵穴３３に向けてピン挿通穴５９を穿設し、該ピン挿通穴５９に抜け止めピン６０を出没自在に内設する一方、前記外筒２５の内周には、前記内筒３０側のピン挿通穴５９と対応する円周上に逃げ凹部２２ｃを設け、前記錠杆２０は、前記軸受穴４０の穴縁に前記回動調整リブ２７ａより広角な角度範囲にわたり周方向に回動調整溝６５を凹設し、該回動調整溝６５に空転領域αを介して前記回動調整リブ２７ａを係合させて前記内筒３０を前記空転領域αの角度範囲だけ空回り可能に前記軸受穴４０に嵌着し、前記鍵軸Ｃは、軸部１５の先端に平面１６を設けた回り止め形状に形成し、その平面１６に前記抜け止めピン６０の先端が係合可能な位置決め凹部１６ａを設け、前記錠杆２０を、それが前記受けＢの係止部４５ｂに係止する施錠位置又は該係止部４５ｂから外れる解錠位置に回動してから、前記錠杆２０に対し前記空転領域αの角度範囲を逆向きに空回りさせると、前記位置決め凹部１６ａが前記抜け止めピン６０の先端と対向し、前記鍵穴３３から引き抜き可能な鍵抜差し位置になることを特徴とする。
【発明の効果】
【００１２】
請求項１に記載の発明は、開き扉を外側から開閉するために施解錠するときは、鍵軸の先端部を軸穴に通し、枢着具の鍵穴に差し込んでから、鍵軸を正逆の施解錠方向に回し、枢着具に対し錠杆を受けの係止部に係止する施錠位置又は係止部から外れる解錠位置に回動する簡略な施解錠機構からなり、従来のようにタンブラーを備えた比較的複雑で高価なシリンダ錠を使った施解錠機構ではなく、まずは、その分だけコストを低減することができる。
【００１３】
しかも、請求項１に記載の発明では、開き扉を外側から解錠するために、鍵軸を回して錠杆を解錠方向に回動するとき、錠杆が回動軌道上にある受けのカム面に当って開き扉を蹴り出し、そのカム面の傾斜に従って開き扉が外側へ自動的に押し開かれる。従って、別途にプッシュ装置等の付勢手段を備えずとも、そのまま半開きの開き扉に軽く手を掛けるだけで、開き扉を簡単に開放することができ、その結果、別途にプッシュ装置等の付勢手段が不要になる分だけ、部品点数を削減して機構がより簡略化し、以って、コストを更に低減することができる。
【００１４】
請求項２に記載の発明によれば、受けには、係止部を挟んだカム面の向かい側にカム面に沿って立ち上がるストッパ部を有するため、施錠時、錠杆を施錠方向に回動するときに錠杆が受けの一部に当って開き扉を押し開こうとしても、錠杆をストッパ部で受け止めて開き扉の開きを規制し、その結果、施錠時、鍵軸を回して錠杆を施錠方向に回動させるたびに、開き扉を押えて開かないように規制しながら施錠操作する必要がなく、それだけ手間なく、開き扉を外側から閉じて簡単に施錠することができる。
【００１５】
請求項３に記載の発明によれば、錠杆を係止する受けの係止部を係止穴で形成し、該係止部を挟んだカム面の向かい側に該カム面に沿ってストッパ部を形成するため、施錠時、錠杆を施錠方向に回動するときに錠杆が受けの一部に当って開き扉を押し開こうとしても、錠杆をストッパ部で受け止めて開き扉の開きを規制し、その結果、施錠時、鍵軸を回して錠杆を施錠方向に回動させるたびに、開き扉を押えて開かないように規制しながら施錠操作する必要がなく、それだけ手間なく、開き扉を外側から閉じて簡単に施錠することができる。
【００１６】
請求項４に記載の発明によれば、開き扉を外側から解錠するために鍵軸を回して錠杆を解錠方向に回動するとき、錠杆が回動軌道上にある受けのカム面に当って開き扉を蹴り出し、カム面の傾斜に従って開き扉が外側へ自動的に押し開かれ、これにより、この半開きの開き扉に軽く手を掛けるだけで開き扉を簡単に開放することができる。しかも、このように開き扉をあけるために解錠するとき、鍵軸を解錠方向に回し、錠杆を蹴り出し姿勢にして開き扉を蹴り出して後、鍵軸をいったん施錠方向に回し、錠杆を、開き扉の開口部から退避した解錠位置に回動する一方、鍵軸は、更に錠杆に対し内筒と一体に空転領域の角度だけ逆向きに空回りさせて鍵抜差し位置に戻さない限り、抜け止めピンの先端が位置決め凹部に係合して抜け止めされる。従って、請求項４に記載の発明では、解錠時には、錠杆を、開き扉の回転軌道領域から離隔した解錠位置に退避させて位置決め保持するため、強い風等の外力を受けて開き扉が回動して錠杆に衝突したりして開閉装置が損壊するのを防止することができる。加えて、鍵軸は、開き扉の回転軌道領域から退避した解錠位置に保持する錠杆に対し空転領域の角度範囲だけ施錠方向に空回りさせて常に鍵抜差し位置に戻さない限り、鍵穴から引き抜けないように構成し、錠杆を開口部から退避した解錠位置に回動する操作と、鍵軸を鍵穴から抜き差しできる鍵抜差し位置に戻す操作とを整合させることにより、開閉装置が損壊するのをより確実に防止することができる。
【図面の簡単な説明】
【００１７】
【図１】（Ａ１）本発明の一例である開き扉の開閉装置を開き扉の施錠状態において示す平面図、（Ａ２）同正面図、（Ｂ１）同開閉装置を開き扉の開途中の状態において示す平面図、（Ｂ２）同正面図、（Ｃ１）同開閉装置を開き扉の解錠状態において示す平面図、（Ｃ２）同正面図である。
【図２】同開閉装置のロック手段を示す分解斜視図である。
【図３】同ロック手段を図２とは向きを変えて示す分解斜視図である。
【図４】（Ａ）同ロック手段を解錠状態において示す側面図、（Ｂ１）鍵軸の回転規制構造を示すＡ図中線Ｘ−Ｘ断面図、（Ｂ２）同鍵軸の回転規制構造を施錠状態において示すロック手段の横断面図である。
【図５】（Ａ）同ロック手段を解錠状態において示す側面図、（Ｂ１）錠杆の位置決め保持構造を示すＡ図中線Ｙ−Ｙ断面図、（Ｂ２）同錠杆の位置決め保持構造を施錠状態において示すロック手段の横断面図である。
【図６】（Ａ）受けを示す斜視図、（Ｂ）同側面図である。
【図７】（Ａ）開閉装置を開き扉の解錠状態において示す斜視図、（Ｂ）開閉装置を開き扉の施錠途中の状態において示す斜視図、（Ｃ）開閉装置を開き扉の施錠状態において示す斜視図である。
【図８】（Ａ）開閉装置を開き扉の施錠状態において示す斜視図、（Ｂ）開閉装置を開き扉の開放途中の状態において示す斜視図、（Ｃ）開閉装置を開き扉の蹴り出し状態において示す斜視図、（Ｄ）開閉装置を開き扉の解錠状態において示す斜視図である。
【図９】（Ａ）鍵軸で解錠した状態のロック手段を示す斜視図、（Ｂ）鍵軸で施錠したロック手段を示す斜視図、（Ｃ）鍵軸の抜き取り状態においてロック手段を示す斜視図である。
【図１０】（Ａ）鍵軸で施錠した状態のロック手段を示す斜視図、（Ｂ）鍵軸を回して解錠する途中の状態のロック手段を示す斜視図、（Ｃ）鍵軸を抜き取る状態においてロック手段を示す斜視図である。
【図１１】本発明の一例である開閉装置を適用した壁体を開き扉の半開き状態において示す斜視図である。
【図１２】同壁体を開き扉の閉状態において示す斜視図である。
【図１３】同壁体を開き扉の閉状態において示す平面図である。
【図１４】（Ａ）ストッパ部を有した他例の受けを示す斜視図、（Ｂ）同受けの側面図である。
【図１５】（Ａ）係止部が係止穴の他例の受けを示す斜視図、（Ｂ）同受けの側面図である。
【図１６】本発明による他例の開閉装置において、（Ａ）カム面を別に有した受けを示す斜視図、（Ｂ）同受けの側面図である。
【図１７】同他例の開閉装置のロック手段を示す分解斜視図である。
【図１８】同ロック手段を図１７とは向きを変えて示す分解斜視図である。
【図１９】（Ａ）他例の開閉装置を開き扉の施錠状態において示す斜視図、（Ｂ）同開閉装置を開き扉の開放途中の状態において示す斜視図、（Ｃ）同開閉装置を開き扉の蹴り出し状態において示す斜視図、（Ｄ）同開閉装置を開き扉の解錠状態において示す斜視図である。
【図２０】（Ａ）同他例の開閉装置を開き扉の施錠状態において示す側面図、（Ｂ）同開閉装置を開き扉の開放途中の状態において示す側面図、（Ｃ）同開閉装置を開き扉の蹴り出し状態において示す側面図、（Ｄ）同開閉装置を開き扉の解錠状態において示す側面図である。
【図２１】（Ａ）同開閉装置のロック手段を施錠状態において示す側面図、（Ｂ１）鍵軸の回転規制構造を示すＡ図中線Ｚ−Ｚ断面図、（Ｂ２）同回転規制構造を、鍵軸を２７０度解錠方向に回動した状態において示すロック手段の横断面図である。
【図２２】他例の開閉装置において、鍵軸の空転機構を（Ａ）錠杆の解錠状態で示す背面図、（Ｂ）同錠杆の施錠途中の状態で示す背面図、（Ｃ）同錠杆の施錠状態において示す背面図、（Ｄ）鍵軸を鍵抜差し位置に空転させた状態において示す背面図である。
【図２３】（Ａ１）鍵軸の抜差し位置規制機構を鍵軸が鍵抜差し位置にある状態において示す他例のロック手段の横断面図、（Ａ２）同他例のロック手段の縦断面図、（Ｂ１）同鍵軸の引き抜き途中の状態において示す他例のロック手段の横断面図、（Ｂ２）同他例のロック手段の縦断面図、（Ｃ）同鍵軸が抜け止め位置にある状態において示す他例のロック手段の横断面図である。
【図２４】同他例の開閉装置を適用した壁体を開き扉の閉状態において示す平面図である。
【図２５】施錠するために（Ａ）鍵軸を鍵穴に差し込む状態の他例のロック手段を示す斜視図、（Ｂ）鍵軸を回して施錠する途中の状態において他例のロック手段を示す斜視図、（Ｃ）同鍵軸を鍵抜差し位置に逆転させた状態において他例のロック手段を示す斜視図、（Ｄ）同鍵軸の抜き取り状態において他例のロック手段を示す斜視図である。
【図２６】解錠するために（Ａ）鍵軸を鍵穴に差し込む状態の他例のロック手段を示す斜視図、（Ｂ）鍵軸を回して解錠する途中の状態において他例のロック手段を示す斜視図、（Ｃ）同鍵軸を回して錠杆を蹴り出す状態において他例のロック手段を示す斜視図（Ｄ）同鍵軸を鍵抜差し位置に逆転させて錠杆の解錠状態において他例のロック手段を示す斜視図である。
【図２７】他例の開閉装置において、鍵軸の空転機構を（Ａ）錠杆の施錠状態で示す背面図、（Ｂ）同鍵軸を回して錠杆を蹴り出す状態において示す背面図、（Ｃ）同鍵軸を回して解錠する途中の状態において示す背面図、（Ｄ）同鍵軸を鍵抜差し位置に逆転させて錠杆の解錠状態において他例のロック手段を示す背面図である。
【図２８】同他例の開閉装置を適用した壁体を開き扉の開状態において示す斜視図である。
【図２９】従来の開き扉の開閉装置を適用した壁体を開き扉の半開き状態において示す斜視図である。
【発明を実施するための形態】
【００１８】
以下、図面を参照しつつ、本発明の実施の最良形態について説明する。
【００１９】
図１１は、本発明の一例である開き扉の開閉装置を適用した壁体を開き扉の開状態において示す斜視図、図１２は閉状態において示す斜視図、図１３は閉状態において示す平面図である。図示例の壁体Ｗは、パネルｗ１・ｗ２・ｗ３…を列設して面一に構築した室内壁で、両側の袖パネルｗ１・ｗ３に対して中間のパネルｗ２を、たとえば室内設備の点検口となる開口部Ｓを開閉する開き扉Ｄで形成している。図示例のパネルｗ１・ｗ２・ｗ３…は、それぞれスチール板の両端をクランク状に折り返して框部を形成し、隣り合う框部相互の継目に、外側から内側が臨めないように屈曲した細長い立て目地が形成されている。
【００２０】
壁体Ｗの袖パネルｗ１は、開き扉Ｄ側の框部１０において、断面Ｌ状に屈曲した戸当り部１０ａを形成し、戸当り部１０ａから更に内側に断面Ｌ状に屈曲して凸状をなす取付部１０ｂを形成する。一方、開き扉Ｄは、戸先側の框部１１の内側に、袖パネルｗ１の戸当り部１０ａと対称に凸状をなす戸当り部１１ａを設け、閉状態において、開口部Ｓに収まって壁体Ｗと面一になるように、吊元側の框部１２を袖パネルｗ３に蝶番１８により回動自在に取り付けている。そこで、本発明の開閉装置Ｒは、開き扉Ｄの戸先側框部１１と袖パネルｗ１間の目地部１３において、戸当り部１０ａと取付部１０ｂを貫通する鍵操作用の小さな軸穴１４を設け、その軸穴１４を開けた位置で壁体Ｗの内側に設置する。
【００２１】
図示開閉装置Ｒは、軸穴１４に抜き差して施解錠操作する鍵軸Ｃと、袖パネルｗ１の内側に設ける開き扉Ｄのロック手段Ａと、開き扉Ｄの内側に固定する受けＢとからなる。
【００２２】
鍵軸Ｃは、図１〜図４に示すように、丸棒状軸部１５の基端に扁平な摘み部１５ａを有し、先端部１５ｂの対称位置に一対の平面１６・１６を設けた回り止め形状に形成する。
【００２３】
ロック手段Ａは、枢着具１９と、枢着具１９に回動自在に枢着する錠杆２０からなる。枢着具１９は、外筒２５と、外筒２５に回転自在に嵌着する内筒３０とで構成する。外筒２５は金属製で、やや細長い矩形の固定板部２１と、固定板部２１の長さ方向中央から直角に突出する円筒部２２とからなる。固定板部２１は、円筒部２２を中心とした長さ方向両端にねじ止め用長穴４７・４７を設ける。円筒部２２は、内周面において、固定板部２１を貫通した一側開口２２ａ寄りに、突出高さ方向に細長い一対の位置決め溝２３・２４を設け、他側開口２２ｂ寄りには、周方向に半円の回動規制溝２６を設ける。回動規制溝２６は、円筒部２２の内周面において、固定板部２１のねじ止め用長穴４７・４７を結んだ中心線上に両溝端２６ａ・２６ｂを合わせて１８０度の範囲にわたり周方向に設ける。位置決め溝２３・２４は、円筒部２２の内周面において、回動規制溝２６の両溝端２６ａ・２６ｂに対応する位置で向い合わせて設けてなる。
【００２４】
枢着具１９の内筒３０は、先端のねじ部２７と基端の抜け止め鍔部２８との間に胴筒部２９を有すると共に、胴筒部２９とねじ部２７間の外周に環状溝３１と矩形板状の回り止め部３２を設ける一方、抜け止め鍔部２８から胴筒部２９に軸芯方向に鍵穴３３を穿設してなる。鍵穴３３は、鍵軸Ｃの先端部１５ｂの形状に合わせて、穴内周に一対の平面３４を向い合わせに形成した回り止め形状をなし、鍵軸Ｃの先端部１５ｂを抜き差し可能に且つ内筒３０と一体に回動可能な穴形状に形成してなる。胴筒部２９は、外筒２５に嵌入可能な円筒状をなし、外周面において抜け止め鍔部２８寄りに突当リブ２９ａを凸設し、回り止め部３２寄りにピン穴３６を軸芯に向けて穿設している。
【００２５】
錠杆２０は、金属板で形成し、星形の回り止め形状をなす軸受穴４０を開けたボス部２０ａと、ボス部２０ａから伸びる掛け止め用のアーム部２０ｂとからなる。
【００２６】
そこで、ロック手段Ａは、内筒３０のピン穴３６にコイルばねのピンスプリング３８を介して位置決めボール３９を出没自在に嵌入してから、外筒２５の一側開口２２ａから内筒３０のねじ部２７を円筒部２２に貫挿し、突当リブ２９ａを回動規制溝２６に係合させた状態で胴筒部２９を円筒部２２に嵌着し、環状溝３１に止め輪４１を巻着して内筒３０を外筒２５に回転自在に嵌着して枢着具１９を組み立てる。次いで、回り止め部３２を軸受穴４０に嵌合してから、ねじ部２７にワッシャ４２を介しナット４３を螺着して外筒２５に対し錠杆２０を内筒３０と一体に回動可能に連結し、以って、錠杆２０を枢着具１９に枢着する。それから、ロック手段Ａは、外筒２５の円筒部２２を、袖パネルｗ１の框部１０の取付部１０ｂに開いた軸穴１４に嵌挿してから、外筒２５の固定板部２１を鉛直に立てた状態で枢着具１９を取付部１０ｂに止めねじ４４で固定して袖パネルｗ１の框部１０の内側に組み付ける。
【００２７】
そこで、ロック手段Ａは、鍵軸Ｃの先端部１５ｂを鍵穴３３に、互いの回り止め形状を整合させて鍵抜差し位置に差し込んでから、正逆の施解錠方向に回すと、錠杆２０が枢着具１９の外筒２５に対し内筒３０と一体に回動するが、そのとき回動する内筒３０の許容回動角度を、突当リブ２９ａが係合した外筒２５の回動規制溝２６の角度範囲において１８０度内に規制する。従って、ロック手段Ａは、鍵軸Ｃを図４中反時計方向に回し、図４（Ｂ１）に示すように、内筒３０を突当リブ２９ａが回動規制溝２６の一側溝端２６ａに突き当たるまで回動すると、錠杆２０はアーム部２０ｂが１２時方向を向いて直立した解錠位置に回動する。すると、図５（Ｂ１）に示すように、内筒３０側の位置決めボール３９が外筒２５側の位置決め溝２３と対向するため、ピンスプリング３８の付勢力によりピン穴３６から押し出されて位置決め溝２３に係合し、錠杆２０を、アーム部２０ｂが直立した解錠位置に位置決めし、ふら付かないように保持する。
【００２８】
他方、受けＢは、金属板を、図６（Ａ）に示すように、取付用にねじ挿通穴の開いた片側の取付板片４４と、他側の掛止板片４５との２つに曲げてＬ形に成形し、掛止板片４５は、図６（Ｂ）に示すように、側縁を山形に切り欠いてガイド部４５ａを形成し、更に側縁をガイド部４５ａから下向きに略Ｖ状に切り欠いてＶ溝を凹設し、そのＶ溝に錠杆２０のアーム部２０ｂが係止する係止部４５ｂを形成する。係止部４５ｂは、Ｖ溝の底に錠杆２０のアーム部２０ｂの板厚に合わせた溝幅の係止溝４５ｃを設けてなる。
【００２９】
そこで、受けＢは、図７に示すように、ガイド部４５ａを上にして掛止板片４５をロック手段Ａの横に並べて、取付板片４４を開き扉Ｄの框部１１の内側にねじ止めし、ロック手段Ａの錠杆２０を、アーム部２０ｂが直立した解錠位置から図７中反時計の施錠方向に回動したとき、アーム部２０ｂが目地部１３を横断して係止部４５ｂの係止溝４５ｃに差し込まれる施錠状態になる高さ位置において、開き扉Ｄの框部１１の内側に固定する。
【００３０】
従って、図示開閉装置Ｒは、開き扉Ｄを開くとき、図８（Ａ）に示すように、施錠位置にある錠杆２０を、アーム部２０ｂが係止部４５ｂから外れる解錠方向（図８中時計方向）回動すると、図８（Ｂ）に示すように、アーム部２０ｂが、ガイド部４５ａのカム面５０に当たり、図８（Ｃ）に示すように、アーム部２０ｂで開き扉Ｄを蹴り出して外側に押し開きながら回動し、図８（Ｄ）に示すように、錠杆２０を、アーム部２０ｂが直立した解錠位置に、図５（Ｂ１）に示すように位置決めボール３９で止めて位置決め保持する構造になっている。
【００３１】
そのため、図示開閉装置Ｒにおいて、受けＢには、ガイド部４５ａに、アーム部２０ｂが係止部４５ｂから外れる解錠方向に錠杆２０を回動すると、アーム部２０ｂが当たる回転軌道上にカム面５０を設ける。カム面５０は、錠杆２０のアーム部２０ｂが当たると開き扉Ｄを蹴り出して外側に押し開く方向に傾斜した斜面で形成する。
【００３２】
さて、上述した構成の開き扉の開閉装置Ｒは、開いた開き扉Ｄを点検口の外側から施錠する場合は、図７（Ａ）に示すように開き扉Ｄを閉じ、鍵軸Ｃの先端部１５ｂを、目地部１３の隙間から軸穴１４に通し、図９（Ａ）に示すように鍵穴３３に差し込んでから、鍵軸Ｃを施錠方向（図９中時計方向）に回し、錠杆２０を、アーム部２０ｂが直立した解錠位置から、図７（Ｂ）・図９（Ｂ）に示すように施錠方向に１３０度回動し、図７（Ｃ）に示すように、アーム部２０ｂが目地部１３を横断した施錠位置で係止部４５ｂの係止溝４５ｃに係止し、それから、図９（Ｃ）に示すように、鍵軸Ｃを枢着具１９の鍵穴３３から抜き取って開き扉Ｄをロックし、図１２・図１３に示すように閉じる。
【００３３】
一方、開き扉Ｄを外側から解錠する場合は、鍵軸Ｃの先端部１５ｂを、図８（Ａ）に示す目地部１３の隙間から軸穴１４に通し、図１０（Ａ）に示すように鍵穴３３に差し込んでから、鍵軸Ｃを解錠方向（図１０中時計方向）に回し、錠杆２０を、アーム部２０ｂが係止部４５ｂに係止した施錠位置から、図８（Ｂ）・図１０（Ｂ）に示すように解錠方向に１３０度回動し、図８（Ｃ）に示すようにアーム部２０ｂを係止部４５ｂから外して、図８（Ｄ）・図１０（Ｃ）に示すようにアーム部２０ｂが直立した解錠姿勢とし、その解錠位置に図５（Ｂ１）に示すように位置決めボール３９で止めて位置決め保持する。それから、図１０（Ｃ）に示すように、鍵軸Ｃを枢着具１９の鍵穴３３から抜き取って開き扉Ｄのロックを解除する。一方、図示開閉装置は、この解錠時、そのように錠杆２０をアーム部２０ｂが係止部４５ｂから外れる解錠方向に回動するとき、図１（Ｂ１・Ｂ２）・図８（Ｃ）に示すように、アーム部２０ｂが受けＢのカム面５０に当って開き扉Ｄを蹴り出し、カム面５０の傾斜に従って開き扉Ｄが外側へ自動的に押し開かれる。従って、別途にプッシュ装置等の付勢手段を備えずとも、そのまま半開きの戸先側框部１１に軽く手を掛けるだけで、図１１に示すように開き扉Ｄを簡単に開放することができる。
【００３４】
ところで、本発明の開き扉の開閉装置Ｒは、受けＢを、上述した形状のものに代え、例えば図１４に示すような形状のものにするとよい。他例の受けＢは、掛止板片４５に、図中上端縁から下向きに切り欠いた凹溝を設け、その凹溝の溝縁の片側に山形のガイド部４５ａを形成すると共に凹溝の下部にＶ状の係止部４５ｂを形成する一方、係止部４５ｂを挟んだカム面５０の向かい側にカム面５０に沿って立ち上がるストッパ部４５ｄを設けた形状をなす。
【００３５】
上述した第１の図示例では、開き扉Ｄを点検口の外側から閉じて施錠する場合、例えば図７（Ａ）に示すように、錠杆２０をアーム部２０ｂが直立した解錠位置から、施錠方向（図中反時計方向）に回動するとき、アーム部２０ｂが山形に出っ張ったガイド部４５ａのガイド斜面４９に当って開き扉Ｄを押し開こうとする。そのため、開き扉Ｄを外側から施錠するとき、鍵軸Ｃを回して錠杆２０を施錠方向に回動するたびに、開き扉Ｄの開きを手で押さえながら施錠操作する必要があると考えられる。しかし、図示他例の受けＢは、係止部４５ｂを挟んだカム面５０の向かい側にカム面５０に沿って立ち上がるストッパ部４５ｄを有するため、施錠時、錠杆２０を施錠方向に回動するときにアーム部２０ｂがガイド部４５ａのガイド斜面４９に当って開き扉Ｄを押し開こうとしても、アーム部２０ｂをストッパ部４５ｄで受け止めて開き扉Ｄの開きを規制する。従って、図示他例の開閉装置では、施錠時、鍵軸Ｃを回して錠杆２０を施錠方向に回動させるたびに、開き扉Ｄを押えて開かないように規制しながら施錠操作する必要がなく、それだけ手間なく、開き扉Ｄを外側から閉じて簡単に施錠することができる。
【００３６】
また、上述した図示例において、受けＢは、掛止板片４５の一部を切り欠いて凹溝を設け、その凹溝に錠杆２０のガイド部４５ａと係止部４５ｂを形成したが、これに代え、例えば図１５に示すように、掛止板片４５に錠杆２０を係止する穴を設け、その係止穴によって係止部４５ｂを形成することもできる。図示他例の受けＢでは、掛止板片４５に略く字状の穴を開け、該係止穴の取付板片４４寄りの片側に、山形のガイド部４５ａを形成すると共にガイド部４５ａの下側にＶ溝状の係止部４５ｂを形成する一方、係止部４５ｂを挟んだカム面５０の向かい側にカム面５０に沿ってストッパ部４５ｄを形成する。
【００３７】
従って、図示他例でも、開き扉Ｄを外側から閉じて施錠する場合、錠杆２０を施錠方向に回動したとき、アーム部２０ｂが山形のガイド部４５ａのガイド斜面４９に当って開き扉Ｄを押し開こうとしても、アーム部２０ｂをストッパ部４５ｄで受け止めて開き扉Ｄの開きを規制し、これにより、開き扉Ｄを外側から閉じて施錠するとき、鍵軸Ｃを回して錠杆２０を施錠方向に回動させるたびに、開き扉Ｄを押えて開かないように規制しながら施錠操作する必要がなく、それだけ手間なく、開き扉Ｄを外側から閉じて簡単に施錠することができる。
【００３８】
ところで、上記した図示他例において、受けＢは、係止部４５ｂを穴で形成し、その係止穴にカム面５０を形成したが、本発明では、そのように受けＢの係止部４５ｂを係止穴で形成する場合においても、カム面５０は、解錠時に回動する錠杆２０のアーム部２０ｂが当たる回転軌道上に設ければよく、係止穴に形成する場合に限られない。例えば図１６に示すように、掛止板片４５には、縦長な係止穴を開けて係止部４５ｂを形成する一方、錠杆２０の回転軌道上に位置する側縁を切り欠いて、その掛止板片４５の側縁にカム面５５を形成することもできる。
【００３９】
そこで、本発明において、そのように錠杆２０が係止する係止部４５ｂを穴で形成し、その係止穴ではなく掛止板片４５の側縁にカム面５５を形成した受けＢを使用する場合、開き扉の開閉装置Ｒ´は、以下に示す他の実施形態のように構成するとよい。以下に示す他の実施形態において、上記した図示開閉装置Ｒにおける構成と同一の構成部分は、同じ符号を付して説明する。
【００４０】
他の実施形態において、受けＢは、係止部４５ｂを、錠杆２０のアーム部２０ｂの厚さに合わせた穴幅の細長い係止穴部５１と、係止穴部５１に向うに従い穴幅が次第に狭くなるテーパになったガイド穴部５２とで全体に羽子板状に開いた係止穴で形成する一方、掛止板片４５の側縁を係止穴部５１に沿って略く形に切り欠いてカム面５５を形成する。カム面５５は、解錠時、係止穴部５１から外れる解錠方向に回動する錠杆２０のアーム部２０ｂが当たると開き扉Ｄを蹴り出して外側に押し開く方向に傾斜した斜面で形成する。
【００４１】
他の実施形態において、図１７および図１８に示すように、鍵軸Ｃは、先端部１５ｂの対称位置に一対の平面１６・１６を設けた回り止め形状であるが、それら平面に抜け止めピン６０の先端が係合可能な位置決め凹部１６ａを形成してなる。
【００４２】
ロック手段Ａは、枢着具１９を、外筒２５と、外筒２５に回転自在に嵌着する内筒３０とで構成するが、内筒３０は、胴筒部２９の外周において、抜け止め鍔部２８寄りに突当リブ２９ａを凸設すると共に、突当リブ２９ａと反対側には、抜け止めピン６０を出没可能に内設するピン挿通穴５９を鍵穴３３に向けて穿設する一方、先端のねじ部２７寄りにピン穴３６を径方向軸芯に向けて穿設している。ねじ部２７の環状溝３１寄りの外周には、回動調整リブ２７ａを周方向に９０度の範囲にわたり円弧状に凸設している。
【００４３】
枢着具１９の外筒２５は、円筒部２２の内周面において、一側開口２２ａ寄りに位置決め溝２３を設け、他側開口２２ｂ寄りには、周方向に２７０度の範囲にわたり回動規制溝２６を凹設すると共に、内筒３０側のピン挿通穴５９と対応する円周上に抜け止めピン６０の逃げ凹部２２ｃを長さ方向に凹設する。固定板部２１には、底面において、円筒部２２一側開口２２ａ近くにボール穴６１を凹設し、ボール穴６１にピンスプリング６２で弾発付勢してストップボール６３を出没自在に嵌着している。
【００４４】
錠杆２０は、細長い金属板の一方の基端側をクランク状に曲げて蹴り出し部２０ｃを形成し、長さ方向中央に軸受穴４０を開けたボス部２０ａを形成してなる。軸受穴４０は、中心穴部４０ａの穴縁を、内筒３０の外周に９０度の範囲にわたって凸設した回動調整リブ２７ａより広角な１８０度の範囲にわたり周方向に切り欠いて、回動調整リブ２７ａが係合する回動調整溝６５を凹設している。更に、錠杆２０は、ボス部２０ａにおいて、軸受穴４０とアーム部２０ｂとの間に、施錠位置と解錠位置で保持するために一対のボール受け穴６６・６７を幅方向に間隔をおいて穿設している。
【００４５】
そこで、ロック手段Ａは、内筒３０のピン挿通穴５９に抜け止めピン６０を移動自在に内設し、ピン穴３６にピンスプリング３８を介して位置決めボール３９を出没自在に嵌入してから、外筒２５の一側開口２２ａから内筒３０のねじ部２７を円筒部２２に貫挿し、突当リブ２９ａを回動規制溝２６に係合させた状態で胴筒部２９を円筒部２２に嵌着し、環状溝３１に止め輪４１を巻着して内筒３０を外筒２５に回転自在に嵌着し、枢着具１９を組み立てる。次いで、回動調整リブ２７ａを回動調整溝６５に係合させた状態でねじ部２７を軸受穴４０に嵌挿してから、ねじ部２７にワッシャ４２を介しナット４３を螺着して外筒２５に対し錠杆２０を内筒３０と一体に回動可能に連結し、ロック手段Ａを組み立てる。そして、ロック手段Ａは、外筒２５の円筒部２２を、袖パネルｗ１の框部１０の取付部１０ｂに開いた軸穴１４に嵌挿し、図１９（Ａ）・図２０（Ａ）に示すように、外筒２５の固定板部２１を垂直に立てた状態で、枢着具１９を取付部１０ｂに止めねじ４４で固定して袖パネルｗ１の框部１０の内側に組み付ける。
【００４６】
他方、受けＢは、ガイド穴部５２を上にして掛止板片４５をロック手段Ａの真横に並べて、取付板片４４を開き扉Ｄの框部１１の内側にねじ止めし、施錠時、ロック手段Ａの錠杆２０を施錠方向に回動し、先端のアーム部２０ｂを係止部４５ｂの係止穴部５１に係止させて施錠したとき、錠杆２０のアーム部２０ｂが目地部１３を横断する高さ位置で開き扉Ｄの框部１１の内側に固定する。
【００４７】
そこで、ロック手段Ａは、図２１に示すように、鍵軸Ｃの先端部１５ｂを、互いの回り止め形状が一致する鍵穴３３の鍵抜差し位置に差し込んでから、正逆の施解錠方向に回すと、錠杆２０が枢着具１９の外筒２５に対し内筒３０と一体に回動するが、内筒３０即ち鍵軸Ｃが回動できる許容回動角度を、突当リブ２９ａが係合した外筒２５の回動規制溝２６の角度範囲内（２７０度）に規制している。一方、枢着具１９の内筒３０は、回動調整リブ２７ａが回動調整溝６５に係合した状態で軸受穴４０に嵌挿して錠杆２０を一体に回動可能に連結するが、回動調整リブ２７ａを、ねじ部外周の周方向に９０度の範囲にわたり凸設する一方、錠杆２０側の回動調整溝６５は回動調整リブ２７ａより広角な１８０度の範囲にわたり周方向に凹設するため、図２２（Ａ）に示すように、内筒側の回動調整リブ２７ａと錠杆側の回動調整溝６５との間には、９０度の範囲にわたり遊び、即ち、内筒３０（鍵軸Ｃ）が錠杆２０に対し空回りする空転領域αが介在し、この９０度の範囲にわたる空転領域αを介して内筒３０側の回動調整リブ２７ａが錠杆２０側の回動調整溝６５に係合している。
【００４８】
従って、ロック手段Ａは、例えば施錠時に鍵軸Ｃを施錠方向に回すと、内筒３０の突当リブ２９ａが回動規制溝２６の一側溝端２６ａに押し当り、内筒３０を、アーム部２０ｂが１２時方向を向いて直立した解錠位置にある錠杆２０と一体に、図２２（Ｂ）に示すように回動し、９０度回動したところで、錠杆２０のアーム部２０ｂが係止部４５ｂの係止穴部５１に係合して目地部１３を横断した施錠状態になる。そのとき、ロック手段Ａは、図２２（Ｃ）に示すように、外筒２５の固定板部２１側のストップボール６３が錠杆２０側のボール受け穴６６と対向し、ピンスプリング６２の付勢力によりボール穴６１から押し出されてボール受け穴６６に係合すると共に、図２３（Ａ２）に示すように、内筒３０側の位置決めボール３９が外筒２５側の位置決め溝２３と対向し、ピンスプリング３８の付勢力によりピン穴３６から押し出されて位置決め溝２３に係合し、錠杆２０を、アーム部２０ｂが目地部１３を横断した施錠位置に位置決めし、ふら付かないように保持する。
【００４９】
しかも、ロック手段Ａは、この施錠時、そのように鍵軸Ｃを施錠方向に９０度回して錠杆２０を施錠位置に回動させてから、更に鍵軸Ｃ、即ち内筒３０を解錠方向に９０度逆転させると、図２２（Ｄ）に示すように、錠杆２０を、アーム部２０ｂが目地部１３を横断した施錠姿勢のまま保持される。一方、鍵軸Ｃは、錠杆２０と内筒３０間に介在する空転領域αの９０度の範囲にわたり錠杆２０に対し内筒３０と一体に空回りし、図２３（Ａ１）・（Ａ２）に示すように、先端部１５ｂの位置決め凹部１６ａが内筒３０側の抜け止めピン６０の先端と対向し、先端部１５ｂと鍵穴３３の互いの回り止め形状が一致して抜差しが可能になる鍵抜差し位置に位置決められ、鍵穴３３から引き抜き可能になっている。即ち、鍵軸Ｃは、この鍵抜き差し位置に回動すると、先端部１５ｂの位置決め凹部１６ａが内筒３０側の抜け止めピン６０の先端と対向する一方、抜け止めピン６の基端が外筒２５側の逃げ凹部２２ｃと対向し、鍵穴３３から引き抜こうとすると、抜け止めピン６０がピン挿通穴５９を通って逃げ凹部２２ｃへ後退するので、そのとき図２３（Ｂ１）・（Ｂ２）に示すように、鍵軸Ｃを鍵穴３３から障害なく抜き出すことができる。
【００５０】
従って、ロック手段Ａは、施錠時、上述の如く鍵軸Ｃを施錠方向に９０度回し、解錠姿勢の錠杆２０を施錠位置に回動する一方、鍵軸Ｃは、錠杆２０に対し内筒３０と一体に９０度逆向きに空回りさせて鍵抜差し位置に戻さない限り、図２３（Ｃ）に示すように、抜け止めピン６０が外筒２５の内周面に押されて先端部１５ｂの位置決め凹部１６ａに係合して抜け止めされる構成になっている。
【００５１】
さて、以上のような構成の開き扉の開閉装置Ｒは、開き扉Ｄを点検口の外側から閉じて施錠する場合は、図２４に示すように開き扉Ｄを閉じ、目地部１３の隙間から、鍵軸Ｃの先端部１５ｂを軸穴１４に通して、図２５（Ａ）に示すように鍵穴３３に差し込んでから、鍵軸Ｃを、図２５（Ｂ）に示すように施錠方向に９０度回して錠杆２０を回動し、アーム部２０ｂを受けＢのガイド穴部５２に係合させて施錠方向に案内して係止穴部５１に差し込み、錠杆２０が目地部１３を横断した施錠位置の係止部４５ｂにアーム部２０ｂを係止し（図１９（Ａ）参照）、しかる後、図２２（Ｄ）・図２５（Ｃ）に示すように、鍵軸Ｃを、解錠方向に９０度逆転させ、施錠姿勢の錠杆２０に対し内筒３０と一体に空転領域αだけ空回りさせて、鍵軸Ｃを、鍵穴３３から抜差しが可能な鍵抜差し位置に戻してから、図２５（Ｄ）に示すように鍵穴３３から抜き取って開き扉Ｄを施錠する。
【００５２】
他方、開き扉Ｄを外側から解錠する場合は、図２６（Ａ）に示すように、鍵軸Ｃの先端部１５ｂを鍵穴３３の鍵抜差し位置に差し込んでから、鍵軸Ｃを、図２６（Ｂ）に示すように解錠方向に９０度回して錠杆２０を回動し、アーム部２０ｂを係止部４５ｂの係止穴部５１から外し、いったんアーム部２０ｂが直立した解錠姿勢にしてから、図２６（Ｃ）に示すように更に鍵軸Ｃを解錠方向に９０度回動し、錠杆２０を、図１９（Ｃ）に示すように蹴り出し部２０ｃが目地部１３を横断した蹴り出し姿勢にする。すると、そのように錠杆２０が解錠方向に回動するとき、図１９（Ｂ・Ｃ）・図２０（Ｂ・Ｃ）に示すように、蹴り出し部２０ｃが受けＢのカム面５５に当って開き扉Ｄを蹴り出し、カム面５５の傾斜に従って開き扉Ｄが外側へ自動的に押し開かれる。従って、他例の開閉装置Ｒ´でも、別途にプッシュ装置等の付勢手段を備えずとも、そのまま半開きの戸先側框部１１に軽く手を掛けるだけで開き扉Ｄを簡単に開放することができる。
【００５３】
更に、図示他例の開閉装置Ｒ´では、解錠時、そのように鍵軸Ｃを解錠方向に１８０度回して錠杆２０を蹴り出し姿勢にして開き扉Ｄを蹴り出して後、鍵軸Ｃは、図２６（Ｄ）に示すように施錠方向に、いったん９０度逆転させて、錠杆２０を、図１９（Ｄ）・図２０（Ｄ）に示すようにアーム部２０ｂが直立した解錠姿勢にする。すると、錠杆２０は、図２７（Ｄ）に示すように、内筒３０側の位置決めボール３９が外筒２５側の位置決め溝２３に係合し、アーム部２０ｂが開き扉Ｄの回転軌道領域から離隔した安全な解錠位置に位置決め保持される。次いで、図示他例の開閉装置Ｒ´では、そのように鍵軸Ｃを施錠方向に９０度逆転させて、錠杆２０を、アーム部２０ｂが開き扉Ｄの回転軌道領域から退避した解錠位置に直立保持してから、鍵軸Ｃは、図２６（Ｄ）に示すように、更に施錠方向に９０度逆転させる。すると、鍵軸Ｃは、図２７（Ｄ）に示すように、錠杆２０と内筒３０間に介在する空転領域αの９０度の範囲だけ錠杆２０に対し内筒３０と一体に９０度空回りし、先端部１５ｂの位置決め凹部１６ａが内筒３０側の抜け止めピン６０と外筒２５側の逃げ凹部１６ａと対向する鍵抜差し位置に戻り、鍵穴３３から引き抜き可能になる（図２３（Ａ１）・（Ａ２）参照）。即ち、前記した施錠時と同様、鍵軸Ｃが鍵抜差し位置にあるとき、鍵軸Ｃを鍵穴３３から引き抜こうとすると、抜け止めピン６０がピン挿通穴５９を通って逃げ凹部２２ｃへ後退し、そのとき図２３（Ｂ１）・（Ｂ２）に示すように、鍵軸Ｃを鍵穴３３から障害なく抜き出すことができる（図２３（Ｂ１）・（Ｂ２）参照）。従って、解錠時も、施錠時と同様、鍵軸Ｃは、鍵穴３３内で鍵抜差し位置に戻してから、枢着具１９の鍵穴３３から抜き取って開き扉Ｄを解錠する。
【００５４】
このように図示他例の開閉装置Ｒ´では、解錠時も、上述のように鍵軸Ｃを解錠方向に回して錠杆２０を蹴り出し姿勢にして開き扉Ｄを蹴り出して後、施錠方向に９０度逆向きに回し、施錠姿勢の錠杆２０を、アーム部２０ｂが開き扉Ｄの回転軌道領域から退避した解錠位置に回動して直立保持する一方、鍵軸Ｃは、更に錠杆２０に対し内筒３０と一体に９０度逆向きに空回りさせて鍵抜差し位置に戻さない限り、抜け止めピン６０が外筒２５の内周面に押されて先端部１５ｂの位置決め凹部１６ａに係合して抜け止めされる（図２３（Ｃ）参照）。
【００５５】
従って、図示他例の開閉装置Ｒ´では、開き扉Ｄの開時、解錠するとき、錠杆２０は、アーム部２０ｂが開き扉Ｄの回転軌道領域から離隔した位置を解錠位置とし、その解錠位置に錠杆２０を開口部Ｓから退避させて位置決め保持するため、強い風等の外力を受けて開き扉Ｄが回動し、戸先側框部１１が錠杆２０のアーム部２０ｂに衝突したりして錠杆２０等の部材が損壊するのを防止することができる。しかも、解錠時、鍵軸Ｃは、開き扉Ｄの回転軌道領域から退避した解錠位置に保持する錠杆２０に対し空転領域の角度範囲だけ施錠方向に空回りさせて常に鍵抜差し位置に戻さない限り、鍵穴３３から引き抜けない構成にし、錠杆２０を開口部Ｓから退避した解錠位置に回動する操作と、鍵軸Ｃを鍵穴３３から抜き差しできる鍵抜差し位置に戻す操作とを整合させることにより、開閉装置が損壊するのをより確実に防止することができる。
【００５６】
ところで、上述した図示実施の形態では、ロック手段Ａを壁体Ｗの袖パネルｗ１側に設け、受けＢを開き扉Ｄ側に固定したが、反対に、ロック手段Ａを開き扉Ｄ側に設け、受けＢを壁体Ｗの袖パネルｗ１側に固定するようにしてもよい。
【符号の説明】
【００５７】
Ａ                ロック手段
Ｂ                受け
Ｃ                鍵軸
Ｄ                開き扉
Ｒ・Ｒ´          開閉装置  
Ｓ                開口部
α                空転領域
１３              目地部
１４              軸穴
１９              枢着具
２０              錠杆
２０ａ            摘み部
２０ｂ            アーム部
２０ｃ            蹴り出し部
２５              外筒
２７ａ            回動調整リブ
３０              内筒
４０              軸受穴
４５ａ            係止部
５０・５５        カム面
５９              ピン挿通穴
６０              抜け止めピン
６５              回動調整溝
【要約】
【課題】パネルを列設して面一に構築した壁体の開口部を開閉する開き扉の開閉装置において、シリンダ錠等の部品点数を削減して施解錠機構を簡略化し、コストを低減する。
【解決手段】開閉装置Ｒは、壁体Ｗの袖パネルｗ１の框部１０に外側から鍵軸Ｃを通す軸穴１４を設け、袖パネルの框部の内側にロック手段Ａを設け、開き扉の戸先側框部１１の内側に受けＢを固定し、ロック手段は、鍵軸を抜き差しする鍵穴３３を有し、鍵穴を軸穴に合わせて設置する枢着具１９と、枢着具に回動自在に枢着し、鍵軸の先端部１５ｂを鍵穴の鍵抜差し位置に差し込んで正逆の施解錠方向に回転すると、鍵軸と一体に回転する錠杆２０を備え、受けは、錠杆を係脱自在に係止する係止部４５ｂと、開き扉の開時に係止部から外れる解錠方向に錠杆を回動すると、錠杆が当たる回動軌道上にカム面５０を有し、カム面を、錠杆に当たると開き扉を外側に押し開く方向に傾斜した斜面で形成する。
【選択図】          図１【図１】
0004762372.tif 000002
【図２】
0004762372.tif 000003
【図３】
0004762372.tif 000004
【図４】
0004762372.tif 000005
【図５】
0004762372.tif 000006
【図６】
0004762372.tif 000007
【図７】
0004762372.tif 000008
【図８】
0004762372.tif 000009
【図９】
0004762372.tif 000010
【図１０】
0004762372.tif 000011
【図１１】
0004762372.tif 000012
【図１２】
0004762372.tif 000013
【図１３】
0004762372.tif 000014
【図１４】
0004762372.tif 000015
【図１５】
0004762372.tif 000016
【図１６】
0004762372.tif 000017
【図１７】
0004762372.tif 000018
【図１８】
0004762372.tif 000019
【図１９】
0004762372.tif 000020
【図２０】
0004762372.tif 000021
【図２１】
0004762372.tif 000022
【図２２】
0004762372.tif 000023
【図２３】
0004762372.tif 000024
【図２４】
0004762372.tif 000025
【図２５】
0004762372.tif 000026
【図２６】
0004762372.tif 000027
【図２７】
0004762372.tif 000028
【図２８】
0004762372.tif 000029
【図２９】
0004762372.tif 000030